(57)【要約】細長いフレーム（2）を有する折りたたみ式トロリー（1）であって、該細長いフレーム（2）が、フレーム軸XXを画定し、かつ第一の端部（3）と第二の端部（4）とそれらの間に延びている側部（5、6）とを有する、折りたたみ式トロリー（1）を提供する。細長いアーム（7）はアーム軸YYを画定する。該アームは、該フレームに枢動式に取り付け可能であり、かつ、使用中に、該フレーム軸に対して該アーム軸が実質的に平行になる格納位置から、および該フレーム軸に対して該アーム軸が実質的に垂直になる使用位置から動くように適合されている。支持部材（10）は、第一の端部（11）と第二の端部（12）とそれらの間に延びている側部（13、14）とを有する。該支持部材は、該フレームに枢動式に取り付け可能であり、かつ、使用中に、該フレーム軸に対して該部材が実質的に平行になる格納位置から、および該フレーム軸に対して鋭角で該支持部材が配置可能である使用位置から動くように適合されている。該支持部材は、使用中にバッグを該使用位置で保持するように適合されている。2018519202.tif 000003
2018519202.tif 000002
【特許請求の範囲】
【請求項１】
フレーム軸を画定し、かつ第一の端部と第二の端部とそれらの間に延びている側部とを有する、細長いフレーム；
アーム軸を画定する細長いアームであって、該フレームに枢動式に取り付け可能であり、かつ、使用中に、該フレーム軸に対して該アーム軸が実質的に平行になる格納位置から、および該フレーム軸に対して該アーム軸が実質的に垂直になる使用位置から動くように適合されている、細長いアーム；ならびに
第一の端部と第二の端部とそれらの間に延びている側部とを有する支持部材であって、該フレームに枢動式に取り付け可能であり、かつ、使用中に、該フレーム軸に対して該部材が実質的に平行になる格納位置から、および該フレーム軸に対して鋭角で該支持部材が配置可能である使用位置から動くように適合されている、支持部材
を有し、
該支持部材が、使用中にバッグを該使用位置で保持するように適合されている、
折りたたみ式トロリー。
【請求項２】
前記トロリーが2本のアームを含み、該アームが、面に沿って前記トロリーが動くことを可能にするために一方の端部で前記フレームの前記側部に接続されておりかつ他方の端部で一つまたは複数の車輪に接続されている、請求項1に記載の折りたたみ式トロリー。
【請求項３】
前記2本のアームが接続部材によって接続されている、請求項1に記載の折りたたみ式トロリー。
【請求項４】
前記フレームが、一つの前記端部に少なくとも一つの車輪を含む、請求項1に記載の折りたたみ式トロリー。
【請求項５】
前記フレームが概して長方形リング形であり、前記端部および前記側部がそれらの間に空間を画定する、請求項1に記載の折りたたみ式トロリー。
【請求項６】
前記支持部材が前記空間内において配置可能かつ枢動可能である、請求項1に記載の折りたたみ式トロリー。
【請求項７】
前記支持部材が、長方形リング形であり、かつ該支持部材の間に開口部を画定する、請求項1に記載の折りたたみ式トロリー。
【請求項８】
使用中に前記バッグが前記開口部内に配置可能である、請求項1に記載の折りたたみ式トロリー。
【請求項９】
前記フレームの一つの端部が取っ手を含む、請求項1に記載の折りたたみ式トロリー。
【請求項１０】
前記フレームの一つの端部がフットプラットフォームを含む、請求項1に記載の折りたたみ式トロリー。
【請求項１１】
前記フレームが、使用中のバッグを前記空間内に保持するように適合された二つまたはそれ以上の支持部材を含む、請求項1に記載の折りたたみ式トロリー。
【請求項１２】
前記支持部材が、前記フレームの前記側部間に位置決め可能である、請求項1に記載の折りたたみ式トロリー。
【発明の詳細な説明】
【技術分野】
【０００１】
発明の分野
本発明は、トロリーに関し、特に、ショッピングバッグなどを運ぶための折りたたみ式トロリーに関する。
【背景技術】
【０００２】
発明の背景
トロリーは、長年にわたり、物品を一つの場所から別の場所に移動させるために使用されている。トロリーは、一つの車輪しか有しないもの、多くの車輪を有するもの、物品を運びやすくするためのいくつかのアタッチメントを有するものなど、多様な形状およびサイズのものが売られている。トロリーはまた、固定された形または折りたたまれた形のものが売られており、プラスチック、金属などの多様な材料で製造されることができる。
【０００３】
近年、ポリ袋を使用して商品を販売する小売店に対するかなりの批判がある。これが、麻布製のバッグまたは「エコ」バッグの販売につながった。しかし、そのようなバッグは、プラスチックバッグよりも重く、製造費をより多く要する傾向にある。しかし、より丈夫であるため、バッグ一つあたりより多くの物品を運ぶことができる。したがって、結果的に、消費者は、ショッピングバッグ一つあたりより多くの重量を運ぶことになり、それが、様々な身体的問題、たとえば首および腰の問題を生じさせている。
【０００４】
スーパーマーケットは、ショッピングトロリーを提供することによってこの問題を軽減しようと努めている。しかし、そのようなショッピングトロリーは、操作しにくく、製造費を多く要し、大きな資本支出を生み出し、維持費を要し、多くの場合、小売店から持ち出されて、小売店に対し、それらのトロリーを発見し、回収するための相当なコストをこうむらせる。さらに、そのようなショッピングトロリーは、怪我の原因となることがあり、買い物客が小売店においてそのようなショッピングトロリーによって怪我を負わせられた場合には、有意な法的責任が生じることもある。
【０００５】
したがって、消費者が小売店に持ち込むことができる、消費者（小売店ではなく）によって所有される軽量で操作しやすく安価なショッピングトロリーの必要性がある。トロリーは、エコバッグなどを容易に保持または運搬することができるべきである。これは有意な費用および法的責任から小売店を解放する。
【発明の概要】
【０００６】
発明の目的
本発明の目的は、先行技術の欠点の一つもしくは複数を実質的に克服もしくは少なくとも改善することまたは少なくとも有用な代替を提供することである。
【０００７】
発明の概要
本明細書において、
フレーム軸を画定し、かつ第一の端部と第二の端部とそれらの間に延びている側部とを有する、細長いフレーム；
アーム軸を画定する細長いアームであって、該フレームに枢動式に取り付け可能であり、かつ、使用中に、該フレーム軸に対して該アーム軸が実質的に平行になる格納位置から、および該フレーム軸に対して該アーム軸が実質的に垂直になる使用位置から動くように適合されている、細長いアーム；ならびに
第一の端部と第二の端部とそれらの間に延びている側部とを有する支持部材であって、該フレームに枢動式に取り付け可能であり、かつ、使用中に、該フレーム軸に対して該部材が実質的に平行になる格納位置から、および該フレーム軸に対して鋭角で該支持部材が配置可能である使用位置から動くように適合されている、支持部材
を有し、
該支持部材が、使用中にバッグを該使用位置で保持するように適合されている、
折りたたみ式トロリーが開示される。
【０００８】
好ましくは、前記トロリーは2本のアームを含み、該アームが、面に沿って該トロリーが動くことを可能にするために一方の端部で前記フレームの前記側部に接続されておりかつ他方の端部で一つまたは複数の車輪に接続されている。
【０００９】
好ましくは、前記2本のアームは接続部材によって接続されている。
【００１０】
好ましくは、前記フレームは一つの前記端部に少なくとも一つの車輪を含む。
【００１１】
好ましくは、前記フレームは概して長方形リング形であり、端部および側部が、それらの間に空間を画定する。
【００１２】
好ましくは、前記支持部材は前記空間内において配置可能かつ枢動可能である。
【００１３】
好ましくは、前記支持部材は、長方形リング形であり、かつ該支持部材の間に開口部を画定する。
【００１４】
好ましくは、使用中に、前記バッグは前記開口部内に配置可能である。
【００１５】
好ましくは、前記フレームの一つの端部は取っ手を含む。
【００１６】
好ましくは、前記フレームの一つの端部はフットプラットフォームを含む。
【００１７】
好ましくは、前記フレームは、使用中のバッグを前記空間内に保持するように適合された二つまたはそれ以上の支持部材を含む。
【００１８】
好ましくは、前記支持部材は前記フレームの前記側部間に位置決め可能である。
【図面の簡単な説明】
【００１９】
以下、添付図面を参照しながら本発明の好ましい態様をほんの一例として説明する。
【図１】格納位置にある本発明の態様を示す。
【図２】図2aおよび2bは、使用位置にある本発明の態様を二つの方向から示す。
【図３】本発明の態様の平面図を示す。
【図４】本発明の態様の側面図を示す。
【図５】図5aおよび5bは、使用位置にある本発明の代替態様を二つの方向から示す。
【発明を実施するための形態】
【００２０】
態様の説明
添付図面には、フレーム軸XXを画定する細長いフレーム2を有する折りたたみ式トロリー1が開示されている。フレーム2は、点8において、第一の端部3と第二の端部4とそれらの間に延びている側部5および6とを有する。細長いアーム7がアーム軸YYを画定する。アーム7は、フレーム2に枢動式に取り付け可能であり、かつ、使用中に、フレーム軸XXに対してアーム軸YYが実質的に平行になる格納位置（図1を参照）から、およびフレーム軸XXに対してアーム軸YYが実質的に垂直になる使用位置（図2aおよび2bを参照）から動くように適合されている。トロリー1の所望の使用に依存して、軸XXと軸YYとの間の角度αは変化することができる。角度αを固定するためのロック（図示せず）があってもよい。トロリー1はさらに、第一の端部11と第二の端部12とそれらの間に延びている側部13および14とを有する支持部材10を含む。支持部材10は、フレーム2に枢動式に取り付け可能であり、かつ、使用中に、該フレーム軸XXに対して該支持部材10が実質的に平行になる格納位置（図1を参照）から、およびフレーム軸XXに対して鋭角βで支持部材10が配置可能である使用位置（図2aおよび2bを参照）から動くように適合されている。枢動軸（pivoting）は、点15における一つの枢軸であることができるか、またはアームもしくは他の枢軸もしくはヒンジ機構16をさらに含むことができる。
【００２１】
支持部材10は、図面によく見てとれるように、使用中にバッグ20などを使用位置で保持するように適合されている。好ましい形態において、バッグは「エコ」バッグである。
【００２２】
好ましい形態において、トロリー10は、面に沿ってトロリー1が動くことを可能にするために一方の端部でフレーム2の側部5、6に接続されておりかつ他方の端部で一つまたは複数の車輪25に接続されている、2本のアーム7を含む。2本のアーム7（図2bによく見てとれるように）は一つまたは複数の接続部材30によって接続されている。フレーム2は、一つの前記端部4に少なくとも一つの車輪25を含む。車輪25は、ガード、車軸（axel）、カバーなど（図示せず）を含むことができる。
【００２３】
好ましくは、フレーム2は概して、図面に示すような長方形リング形であるが、しかし任意の形状であることもできる。端部3、4および側部5、6がそれらの間に空間40を画定する。
【００２４】
好ましい形態において、支持部材10は空間40内に位置する。支持部材10はまた、好ましくは長方形リング形であり、かつ、支持部材10の間に、バッグ20を受けるための開口部50を画定する。図中、三つのエコバッグ20が開口部50内に示されている。しかし、任意の数のバッグ20を収容することもできる。
【００２５】
一つの好ましい形態において、図3によく見てとれるように、本発明は、溝62を含む取っ手60、電話ホルダ70、およびドリンクホルダ75を含む。
【００２６】
トロリー1はさらに、子供が上に立つためのフットプラットフォーム80などを含むこともできる。本発明はまた、ブレーキ（図示せず）、位置測定手段、たとえばGPSトラッカ（図示せず）および音楽プレーヤ装置（図示せず）を含むこともできる。
【００２７】
好都合には、少なくとも好ましい態様において、本発明は、共通の部品を提供してコストを減らし、また、単一の成形品を含むこともできる。ブランド表記などのためのスペースを含むこともでき、大きな150mmの固定車輪25を含むことができ、フレーム2内の二つまたはそれ以上の高さで少なくとも六つのショッピングバッグ20を容易に保持することができ、また、身の回り品などのためのリヤバッグ85を含むこともできる。「エコ」バッグ20は、フック105などによって取り付けることもできる。
【００２８】
好都合には、電話ホルダ70およびカップホルダ75は、ユーザを支援するために、フレーム2を中心に回転可能または移動可能であることもできる（たとえばスナップロック係合によって）。トロリー1はまた、チャイルドシート（図示せず）を含むこともできるか、または2台またはそれ以上のトロリー1を連結するためのコネクタ（図示せず）を含むこともできる。
【００２９】
好ましい態様における本発明は、車のトランクの中に折りたたむことができ、駐車場において混乱および手間取ることを防ぐ。それは、食料雑貨類を都市部マンション生活の増大とともに数が増加する比較的小さなスーパーマーケットで購入して徒歩でマンションまで運ぶために使用することができる。それはより衛生的であり、同じトロリーを何千人の人々が使用することから生じる感染症／伝染（cuminicable）病を予防する。投げ捨てられたトロリーの無残な光景をなくし、海／ごみ埋め立て地などからプラスチックバッグを除去することによって環境へのダメージを減らす。
【００３０】
具体例を参照しながら本発明を説明したが、本発明が多くの他の形態に具現化され得ることが当業者によって理解されよう。
【図１】
2018519202.tif 000004
【図２】
2018519202.tif 000005
【図３】
2018519202.tif 000006
【図４】
2018519202.tif 000007
【図５】
2018519202.tif 000008
【国際調査報告】
2018519202.tif 000009
2018519202.tif 000010
2018519202.tif 000011